(57)【要約】【課題】磁気デバイスアタッチメント機構を備える携帯情報装置に装着した状態で磁気アタッチメントを備えたカバーアセンブリを、支障なく取付けることができる保護カバーを提供する。【解決手段】保護カバー１０は、携帯情報装置５０の四方の周囲を覆う四辺の側壁カバー部１３等と、側壁カバー部１３等に連結されるとともに携帯情報装置５０が有する液晶表示画面５０ａとは反対側の裏面を覆う裏面カバー部１２とを備えている。一辺の側壁カバー部１３には、強磁性体からなるアタッチメント部材２２が配置されている。【選択図】図１０
2016208451.tif 000002
【特許請求の範囲】
【請求項１】
携帯情報装置の四方の周囲を覆う四辺の側壁カバー部と、前記側壁カバー部に連結されるとともに前記携帯情報装置が有する表示画面とは反対側の裏面を覆う裏面カバー部とを備えた保護カバーにおいて、
前記四辺の側壁カバー部のうち、一辺の側壁カバー部には、強磁性体からなるアタッチメント部材が配置されている携帯情報装置の保護カバー。
【請求項２】
前記アタッチメント部材は、外部に露出するように前記一辺の側壁カバー部に沿って配置されている請求項１に記載の携帯情報装置の保護カバー。
【請求項３】
前記アタッチメント部材は、前記一辺の側壁カバー部の高さ方向と直交する長手方向に沿って配置されている請求項１に記載の携帯情報装置の保護カバー。
【請求項４】
請求項１乃至請求項３のうちいずれか１項に記載の携帯情報装置の保護カバーであって、
前記アタッチメント部材の外側面は、外側に膨らむ曲面を有する凸面を備え、
前記アタッチメント部材が設けられた前記一辺の側壁カバー部の内側面は、前記携帯情報装置に装着された際の、該携帯情報装置の相対する側壁の外面と合致するように前記外側に凹む曲面を有した凹面を備え、
前記凸面と前記凹面とは、同じ曲率半径を有する携帯情報装置の保護カバー。
【請求項５】
前記四辺の側壁カバー部の高さは、前記携帯情報装置を収納して装着した際の、該携帯情報装置の表示画面と同じ高さに形成されている請求項４に記載の携帯情報装置の保護カバー。
【発明の詳細な説明】
【技術分野】
【０００１】
本発明は、携帯情報装置の保護カバーに関する。
【背景技術】
【０００２】
従来、携帯情報装置を保護するために、表面側の液晶画面を除いてその周面及び裏面を覆うようにして着脱自在に装着する保護カバーが提案されている（特許文献１参照）。前記保護カバーは、例えば合成ゴム、皮、或いはエラストマーからなり、可撓性、或いは弾性を有するようにしている。
【０００３】
また、従来、前記携帯情報装置の側部に対して、着脱自在にしたカバーアセンブリが提案されている（特許文献２）。カバーアセンブリは、前記液晶画面を覆うフラップと、前記フラップの一側部にそれぞれ設けられたヒンジアセンブリ及び磁気アタッチメントを有する。前記フラップは、磁気アタッチメントが、携帯情報装置の一側部側に設けられたデバイスアタッチメント機構に対して磁力により着脱可能に連結されるようにしている。そして、前記携帯情報装置に対して連結されたフラップは前記ヒンジアセンブリにより、前記液晶画面を覆う閉じた状態と、前記液晶画面を外部から見えるように開いた状態となることが可能となっている。
【先行技術文献】
【特許文献】
【０００４】
【特許文献１】特開２０１３−５５５１０号公報
【特許文献２】特表２０１２−５２９７１９号公報、段落０１２８〜０１３０、図１６Ｂ、図１７Ａ
【発明の概要】
【発明が解決しようとする課題】
【０００５】
上記の特許文献１のような保護カバーでは、液晶画面が常に露出するため、不使用時に液晶画面が傷が付く可能性がある。そこで、特許文献２で提案されているカバーアセンブリを取付けて、不使用時に携帯情報装置の液晶画面をカバーするようにすることが考えられる。
【０００６】
ところが、特許文献２のカバーアセンブリは、前記磁気アタッチメントと、前記携帯情報装置の磁気デバイスアタッチメント機構との間に働く磁力により取付ける構成となっている。このため、前記携帯情報装置の磁気デバイスアタッチメント機構との間に、その磁力の働きを妨げる他の部材が介在すると、カバーアセンブリを携帯情報装置に対して安定的に取付けることができない問題がある。
【０００７】
本発明の目的は、上記課題を解決して、磁気デバイスアタッチメント機構を備える携帯情報装置に装着した状態で磁気アタッチメントを備えたカバーアセンブリを、支障なく取付けることができる保護カバーを提供することにある。
【課題を解決するための手段】
【０００８】
上記問題点を解決するために、本発明の携帯情報装置の保護カバーは、携帯情報装置の四方の周囲を覆う四辺の側壁カバー部と、前記側壁カバー部に連結されるとともに前記携帯情報装置が有する表示画面とは反対側の裏面を覆う裏面カバー部とを備えた保護カバーにおいて、前記四辺の側壁カバー部のうち、一辺の側壁カバー部には、強磁性体からなるアタッチメント部材が配置されているものである。
【０００９】
また、前記アタッチメント部材は、外部に露出するように前記一辺の側壁カバー部に沿って配置されていることが好ましい。
また、前記アタッチメント部材は、前記一辺の側壁カバー部の高さ方向と直交する長手方向に沿って配置されていることが好ましい。
【００１０】
また、前記アタッチメント部材の外側面は、外側に膨らむ曲面を有する凸面を備え、前記アタッチメント部材が設けられた前記一辺の側壁カバー部の内側面は、前記携帯情報装置に装着された際の、該携帯情報装置の相対する側壁の外面と合致するように前記外側に凹む曲面を有した凹面を備え、前記凸面と前記凹面とは、同じ曲率半径を有することが好ましい。
【００１１】
また、前記四辺の側壁カバー部の高さは、前記携帯情報装置を収納して装着した際の、該携帯情報装置の表示画面と同じ高さに形成されていることが好ましい。
【発明の効果】
【００１２】
本発明によれば、磁気デバイスアタッチメント機構を備える携帯情報装置に装着した状態で磁気アタッチメントを備えたカバーアセンブリを、支障なく取付けることができる効果を奏する。
【図面の簡単な説明】
【００１３】
【図１】一実施形態において、保護カバーの表面側から見た斜視図。
【図２】同じく、保護カバーの裏面側から見た斜視図。
【図３】同じく、携帯情報装置に装着した保護カバーの表面側から見た斜視図。
【図４】同じく、携帯情報装置に装着した保護カバーの裏面側から見た斜視図。
【図５】同じく、携帯情報装置に装着した保護カバーを長手方向の端部側から見た斜視図。
【図６】同じく、携帯情報装置に装着した保護カバーを短手方向の側部側から見た斜視図。
【図７】図５とは、反対側から見た保護カバーを長手方向の端部側から見た斜視図。
【図８】携帯情報装置に装着した保護カバーと、カバーアセンブリとが分離した状態の斜視図。
【図９】携帯情報装置に装着した保護カバーと、カバーアセンブリとを連結した状態の斜視図。
【図１０】保護カバーと、カバーアセンブリとを連結した状態の要部断面図。
【発明を実施するための形態】
【００１４】
以下、本発明の保護カバーを具体化した一実施形態を図１〜図１０を参照して説明する。なお、各図において、正面、背面、上、下、右及び左の方向を矢印で示す。
図１、図２に示すように、保護カバー１０は、正面側を開口するように扁平な四角箱状をなしており、略四角形状をなす裏面カバー部１２と、裏面カバー部１２の四辺の側縁部に連結されて立設した側壁カバー部１３、１４、１５、１６とを有する。すなわち、側壁カバー部１３、１４、１５、１６は、裏面カバー部１２の左側縁部、上側縁部、右側縁部及び下側縁部にそれぞれ設けられている。
【００１５】
側壁カバー部１３、１４、１５、１６及び裏面カバー部１２とにて囲まれた空間は、後述する携帯情報装置５０の収納部１８となっており、収納部１８の上部は携帯情報装置５０を出し入れするための開口２０が形成されている。前記保護カバー１０は、ウレタン等のエラストマー、皮等の有弾性の材料からなる。
【００１６】
そして、保護カバー１０の収納部１８は、携帯情報装置５０の体積よりも若干小さく形成されており、その弾性力に抗して全体を伸ばして開口２０を広くした状態で携帯情報装置５０を収納部１８に収納することが可能である。すなわち、携帯情報装置５０を収納部１８に収納を完了した後は、その弾性力により縮んだ状態で、携帯情報装置５０と密着し、この後は携帯情報装置５０の保護カバー１０からの離脱ができないようにされている。
【００１７】
また、図１、図２に示すように、裏面カバー部１２は、平板状に形成され、内外を貫通した透孔１２ａが多数個形成されている。
また、側壁カバー部１３、１４、１５、１６は、その高さが、携帯情報装置５０を収納して装着した際の、該携帯情報装置の表示画面と同じ高さに形成されている。
【００１８】
図１０に示すように、側壁カバー部１３の内側面は、後述する携帯情報装置５０の左側の側壁の外面がＲを有した曲面となっているため、この曲面に合致するように外方へ凹む凹面を有している。また、側壁カバー部１４、１５、１６の内側面も同様に、後述する携帯情報装置５０の四方の側壁の外面がＲ状をなす曲面となっているため、この曲面に合致するように外方へ凹む凹面を有している。
【００１９】
図１、図１０に示すように、側壁カバー部１３の上下両端部を除いた、該上下両端部間の部位には、アタッチメント部材２２が設けられている。アタッチメント部材２２は、ステンレス等の強磁性体から形成されている。
【００２０】
アタッチメント部材２２は、側壁カバー部１３の高さ方向と直交する長手方向（すなわち、上下方向）に沿って延出されており、その上下両端部が、側壁カバー部１３の上下両端に対してインサートされるとともに、インサート部分を除いた部分は、外部に露出されている（図１０参照）。アタッチメント部材２２の外側面は、外側に膨らむ曲面を有する凸面を備えており、該凸面は前記側壁カバー部１３の内側面（凹面）と、同じ曲率半径を有している。
【００２１】
また、図４、図７に示すように、側壁カバー部１４には、携帯情報装置５０が収納部１８に収納された際に携帯情報装置５０の上端に設けられたイヤホン用コネクタと相対するイヤホン挿通孔１４ａが透設されている。また、側壁カバー部１４には、収納状態の携帯情報装置５０の上端に設けられた図示しない電源ボタンに相対するボタンカバー１４ｂが突出されている。
【００２２】
また、図４、図６に示すように、側壁カバー部１５には、収納状態の携帯情報装置５０の左側部に設けられた図示しない消音／画面ロックボタン、及び音量調整ボタンにそれぞれ相対するボタンカバー１５ａ、１５ｂが突出されている。
【００２３】
また、図１、図３、及び図５に示すように、側壁カバー部１６には、携帯情報装置５０が収納部１８に収納された際に携帯情報装置５０の下端に設けられた接続コード用コネクタ、及びスピーカーと相対する透孔１６ａ、１６ｂが透設されている。
【００２４】
保護カバー１０が取付けられる携帯情報装置５０について説明する。
図３に示すように、携帯情報装置５０は、タブレット型携帯情報端末（例えば、ｉＰａｄ（登録商標））であって、偏平な略四角板状をなしていて、端末本体の正面の略全面にタッチパネル方式の液晶表示画面５０ａを備えている。
【００２５】
図１０に示すように、携帯情報装置５０の四方の側壁の外面は、Ｒ状をなす曲面を有している。携帯情報装置５０の液晶表示画面５０ａの下方において、左側壁に寄ったところには、永久磁石５０ｂが内装されており、後述するカバーアセンブリ６０の磁気アタッチメント６６を吸着可能になっている。永久磁石５０ｂは、磁気デバイスアタッチメント機構に相当する。
【００２６】
また、携帯情報装置５０の液晶表示画面５０ａの下方において、右側壁に寄ったところには、永久磁石５０ｃが内装されており、後述するカバーアセンブリ６０のフラップ６２に内装された永久磁石６８を吸着可能になっている。
【００２７】
次に、携帯情報装置５０に着脱自在に連結されるカバーアセンブリ６０を説明する。
カバーアセンブリ６０は、携帯情報装置５０の液晶表示画面５０ａを覆うフラップ６２と、フラップ６２に一体に連結された可撓性を有するヒンジ６４と、ヒンジ６４に取付けられた磁気アタッチメント６６を備えている。フラップ６２は、携帯情報装置５０の表面全体を覆う面積を備えている。
【００２８】
磁気アタッチメント６６は、永久磁石からなっていて、長手方向において延出されるとともにヒンジ６４と一体に形成された皮膜により被覆されている。
図１０に示すように磁気アタッチメント６６の係合面６６ａは、携帯情報装置５０の左側壁の外面及び保護カバー１０のアタッチメント部材２２の外側面に合致する凹面に形成されている。
【００２９】
（実施形態の作用）
次に、上記のように構成された保護カバー１０の作用を説明する。
図１に示す保護カバー１０を携帯情報装置５０に対して装着する場合、保護カバー１０をその弾性力に抗して全体を伸ばして開口２０を広くした状態で携帯情報装置５０を収納部１８に収納する。携帯情報装置５０の収納を完了した後は、その弾性力により縮んだ状態で、保護カバー１０（すなわち、側壁カバー部１３、１４、１５、１６）は携帯情報装置５０と密着し、この後は携帯情報装置５０の保護カバー１０からの離脱が不能となる（図３、図４参照）。この場合、携帯情報装置５０の永久磁石５０ｂは、アタッチメント部材２２を吸引するため、より、保護カバー１０の側壁カバー部１３と携帯情報装置５０との密着が向上する。
【００３０】
次に、携帯情報装置５０を保護カバー１０で覆った状態で、カバーアセンブリ６０を装着する場合を、図８、図９を参照して説明する。
カバーアセンブリ６０の磁気アタッチメント６６をその係合面６６ａと保護カバー１０のアタッチメント部材２２の外側面とを係合させる。このとき、図１０に示すように磁気アタッチメント６６の係合面６６ａは、保護カバー１０のアタッチメント部材２２の外側面に合致する凹面に形成されているため、良好に磁力により連結される。この状態で、携帯情報装置５０を使用する際には、例えば、カバーアセンブリ６０を開いた状態とする。または、携帯情報装置５０を使用しない場合には、フラップ６２を携帯情報装置５０の液晶表示画面５０ａ上に被せるようにして覆う、この場合、フラップ６２は、内装されている永久磁石６８が、永久磁石５０ｃに内装されている永久磁石５０ｃと磁力により吸着されるため、フラップ６２は、液晶表示画面５０ａを覆った状態に保持される。
【００３１】
また、携帯情報装置５０に保護カバー１０を装着した状態で、カバーアセンブリを保護カバー１０のアタッチメント部材２２の外側面に対して磁力により連結した際、側壁カバー部１３等の高さが携帯情報装置５０の液晶表示画面５０ａと同じ高さに形成されている。このため、側壁カバー部１３、１４、１５、１６が、液晶表示画面５０ａから高さ方向に突出することがないため、側壁カバー部１３、１４、１５、１６によるフラップ６２の液晶表示画面５０ａからの浮き上がりを防止できる。
【００３２】
本実施形態では、下記の特徴を有する。
（１）本実施形態の保護カバー１０は、一辺の側壁カバー部１３には、強磁性体からなるアタッチメント部材２２が配置されている。この結果、永久磁石５０ｂ（磁気デバイスアタッチメント機構）を備える携帯情報装置５０に保護カバー１０を装着した状態で磁気アタッチメント６６を備えたカバーアセンブリ６０を、支障なく取付けることができる。
【００３３】
（２）本実施形態の保護カバー１０のアタッチメント部材２２は、外部に露出するように一辺の側壁カバー部１３に沿って配置されている。このことにより、カバーアセンブリを、前記磁気アタッチメントにて支障なく取付けることができる。
【００３４】
（３）本実施形態の保護カバー１０のアタッチメント部材２２は、一辺の側壁カバー部１３の高さ方向と直交する長手方向に沿って配置されている。このことにより、カバーアセンブリ６０が有する磁気アタッチメント６６を磁気吸着にて連結させた際に、カバーアセンブリ６０を、保護カバー１０にて覆われた携帯情報装置５０の一側壁に沿って配置させることができる。
【００３５】
（４）本実施形態の保護カバー１０のアタッチメント部材２２の外側面は、外側に膨らむ曲面を有する凸面を備えている。また、アタッチメント部材２２が設けられた一辺の側壁カバー部１３の内側面は、携帯情報装置５０に装着された際の、携帯情報装置５０の相対する側壁の外面と合致するように前記外側に凹む曲面を有した凹面を備えている。そして、前記凸面と前記凹面とは、同じ曲率半径を有する。この結果、携帯情報装置５０の側壁の外面に対して吸着して連結可能なカバーアセンブリ６０の磁気アタッチメント６６は、アタッチメント部材２２の外側面に対して、好適に係合された状態で連結することができる。
【００３６】
（５）本実施形態の保護カバー１０において、四辺の側壁カバー部１３、１４、１５、１６の高さは、携帯情報装置５０に装着した際の、携帯情報装置５０の液晶表示画面５０ａと同じ高さに形成されている。このため、側壁カバー部１３、１４、１５、１６が、液晶表示画面５０ａから高さ方向に突出することがないため、側壁カバー部１３、１４、１５、１６によるフラップ６２の液晶表示画面５０ａからの浮き上がりを防止でき、液晶表示画面５０ａに対してフラップ６２を安定した状態で覆うことができる。
【００３７】
なお、本発明の実施形態は前記実施形態に限定されるものではなく、下記のように変更しても良い。
・前記実施形態では裏面カバー部１２に透孔１２ａを多数設けたが省略してもよい。
【００３８】
・前記実施形態では、携帯情報装置５０を、タブレット型携帯情報端末としたが、タブレット型携帯情報端末に限定するものではなく、ノートブック型、携帯電話等の他の携帯情報装置であってもよい。
【００３９】
・前記実施形態では、アタッチメント部材２２の外側面を、外側に膨らむ曲面を有する凸面とし、アタッチメント部材２２が設けられた一辺の側壁カバー部１３の内側面は、携帯情報装置５０に装着された際の、携帯情報装置５０の相対する側壁の外面と合致するように外側に凹む曲面を有した凹面とした。しかし、この構成に限定するものではない。例えば、携帯情報装置５０の側壁の外面が平面の場合、アタッチメント部材２２の外側面、及びアタッチメント部材２２が設けられた一辺の側壁カバー部１３の内側面を平面としてもよい。
【符号の説明】
【００４０】
１０…保護カバー、１２…裏面カバー部、１２ａ…透孔、
１３…側壁カバー部、１４…側壁カバー部、
１４ａ…イヤホン挿通孔、１４ｂ…ボタンカバー、
１５…側壁カバー部、１５ａ、１５ｂ…ボタンカバー、
１６…側壁カバー部、１６ａ、１６ｂ…透孔、
１８…収納部、２０…開口、２２…アタッチメント部材、
５０…携帯情報装置、５０ａ…液晶表示画面、５０ｂ、５０ｃ…永久磁石、
６０…カバーアセンブリ、６２…フラップ、６４…ヒンジ、
６６…磁気アタッチメント、６６ａ…係合面、６８…永久磁石。
【図１】
2016208451.tif 000003
【図２】
2016208451.tif 000004
【図３】
2016208451.tif 000005
【図４】
2016208451.tif 000006
【図５】
2016208451.tif 000007
【図６】
2016208451.tif 000008
【図７】
2016208451.tif 000009
【図８】
2016208451.tif 000010
【図９】
2016208451.tif 000011
【図１０】
2016208451.tif 000012